(57)【要約】【課題】従来のミスト風呂装置は、浴室内をミストで充満させるために換気扇を停止して入浴するため浴室内の酸素濃度が低下し、快適な入浴ができにくい課題があった。【解決手段】給湯機１０と、給湯機１０から供給される湯または水をミストとし浴室２０内へ噴出するミストノズル２６と、高濃度の酸素空気を作り出す酸素富化機１５と、酸素富化機１５で高濃度の酸素空気を浴室２０内へ噴出する酸素ノズル２１を有した構成としたものであり、本発明によれば、湯もしくは水のミストと同時に高濃度酸素空気を浴室内への供給を可能とするものである。【選択図】図１
2006130197.tif 000002
【特許請求の範囲】
【請求項１】
給湯機と、前記給湯機から供給される湯または水をミストとし浴室内へ噴出するミストノズルと、高濃度の酸素空気を作り出す酸素富化機と、前記酸素富化機で高濃度の酸素空気を前記浴室内へ噴出する酸素ノズルを設けた酸素ミスト風呂装置。
【請求項２】
ミストノズルと酸素ノズルを一体で形成した一体ノズルを設けた請求項１記載の酸素ミスト風呂装置。
【請求項３】
酸素ノズルの噴出空気を送るチューブと、前記チューブを接続するヘッドセットと、前記ヘッドセットによりミスト入浴しつつ酸素富化空気を吸引できる請求項１記載の酸素ミスト風呂装置。
【請求項４】
酸素富化機を給湯機へ内蔵した請求項１〜３のいずれか１項に記載の酸素ミスト風呂装置。
【請求項５】
酸素富化機を浴室天井部の上部へ載置した請求項１〜３のいずれか１項に記載の酸素ミスト風呂装置。
【請求項６】
酸素富化機で高濃度の酸素空気をつくり、高濃度酸素空気を加圧溶解する加圧ポンプを設け、給湯機の湯水等へ加圧混入しミストとしてミストノズルから噴出する酸素ミスト風呂装置。
【請求項７】
加圧ポンプを給湯機へ内蔵し湯へ加圧混入しミストとしてミストノズルから噴出する請求項６記載の酸素ミスト風呂装置。
【発明の詳細な説明】
【技術分野】
【０００１】
本発明は、給湯機から供給される湯または水をミストとし浴室内へ噴出するとともに、高濃度の酸素空気を作り出す酸素富化機により高濃度の酸素空気を浴室内へ噴出する酸素ミスト風呂湯装置に関するものである。
【背景技術】
【０００２】
従来のミスト風呂装置は、給湯機から供給されるお湯や水をミストとしてミストノズルから噴出するものがある（例えば特許文献１参照）。図６は、前記公報に記載された従来のミスト風呂装置を示すものである。図６に示すように、給湯機１  に一端を接続した給湯用流路２を途中で二手に分岐させ、分岐した一方を浴室内に設置されるミストシャワー部３に接続し、分岐した他方を浴室内に設置されて浴室内のカラン４等に湯水を供給する混合栓５に接続し、上水道６と混合栓５とを給水用流路７にて接続し、給湯用流路２の分岐箇所とミストシャワー部３との間に電磁弁８を介在させると共に、浴室外に電磁弁８の開閉を操作するスイッチ部９を設けて構成される。
【特許文献１】特開２００３−１９００３７号公報（第１図）
【発明の開示】
【発明が解決しようとする課題】
【０００３】
しかしながら上記特許文献１の従来のミスト風呂装置では、給湯機から供給されるお湯や水をミストとしてミストシャワー部３から噴出することしかできず、浴室内をミストで充満させるために換気扇を停止して入浴するため浴室内の酸素濃度が低下し、快適な入浴ができにくい課題があった。
【０００４】
本発明は上記課題を解決するため、給湯機から供給される湯または水をミスト化し、浴室内へ噴出すると同時に高濃度の酸素空気を浴室内へ噴出することを可能とするものである。
【課題を解決するための手段】
【０００５】
前記従来の課題を解決するために、本発明の酸素ミスト風呂装置は、給湯機と、給湯機から供給される湯または水をミストとし浴室内へ噴出するミストノズルと、高濃度の酸素空気を作り出す酸素富化機と、酸素富化機で高濃度の酸素空気を浴室内へ噴出する酸素ノズルを有した構成としたものであり、本発明によれば、ミストノズルと酸素ノズルからミストと高濃度の酸素空気を浴室な部へ供給可能とするものである。
【発明の効果】
【０００６】
本発明の酸素ミスト風呂装置は、ミストノズルから温水や水等のミストサウナを浴びることができ、同時に酸素富化された空気を浴室内へ噴出できることから、閉めきった換気をしない浴室でも快適なミストサウナを実現でき長時間ミストサウナを浴びることも可能である。
【０００７】
併せて、高濃度酸素を加圧混入した湯水をミスト化して浴室内へ噴出することで、高濃度酸素空気を浴室まで搬送する特別な配管を設ける必要がなく、施工が簡素化できるものである。
【発明を実施するための最良の形態】
【０００８】
第１の発明は、給湯機と、給湯機から供給される湯または水をミストとし浴室内へ噴出するミストノズルと、高濃度の酸素空気を作り出す酸素富化機と、酸素富化機で高濃度の酸素空気を浴室内へ噴出する酸素ノズルを有した構成としてある。
【０００９】
上記構成によって、湯もしくは水のミストと同時に高濃度酸素空気を浴室内への供給を可能とし、閉めきった換気をしない浴室でも快適なミストサウナを実現でき長時間ミストサウナを浴びることも可能である。
【００１０】
第２の発明は、特に、第１の発明において、ミストノズルと酸素ノズルを一体で形成し構成されている。
【００１１】
第３の発明は、特に、第１の発明において、酸素ノズルの噴出空気を送るチューブと、チューブを接続するヘッドセットと、ヘッドセットによりミスト入浴しつつ酸素富化空気を吸引可能とするものである。
【００１２】
第４の発明は、特に、第１〜３の発明のいずれかの発明において、酸素富化機を給湯機へ内蔵した構成とする。
【００１３】
第５の発明は、特に、第１〜３の発明のいずれかの発明において、酸素富化機を浴室天井部の上部へ載置した構成とするものである。
【００１４】
第６の発明は、酸素富化機で高濃度の酸素空気をつくり、高濃度酸素空気を加圧溶解する加圧ポンプを設け、給湯機の湯水等へ加圧混入しミストとしてミストノズルから噴出するもので、高濃度酸素空気を浴室まで搬送する特別な配管を設ける必要がなく、施工が簡素化できるものである。
【００１５】
第７の発明は、特に、第６の発明において、加圧ポンプを給湯機へ内蔵し湯へ加圧混入しミストとしてミストノズルから噴出可能とするものである。
【００１６】
以下、本発明の実施の形態について、図面を参照しながら説明する。従来例および各実施の形態において、同じ構成、同じ動作をする部分については同一符号を付与し、詳細な説明を省略する。なお、この実施の形態によって本発明が限定されるものではない。
【００１７】
（実施の形態１）
図１は本発明の実施の形態１における酸素ミスト風呂装置のシステム全体構成図である。
【００１８】
給湯機１０は、熱交換器１１を加熱するバーナ１２と、バーナ１２に燃焼空気を送るバーナファン１３と、燃焼空気を排出する排気口１４を設けて構成される。
【００１９】
一方、酸素富化機１５は、酸素富化膜１６と、真空ポンプ１７と、新鮮な空気を送る送風ファン１８とから構成され、酸素富化機１５で造られた高濃度の酸素空気はチューブ１９で浴室２０へ搬送され、酸素ノズル２１から噴出される。給水路２２の水は熱交換器１１で加熱されお湯となり、給湯路２３を経てシャワーヘッド２４やカラン２５やミストノズル２６から吐出される。
【００２０】
以上のように構成された酸素ミスト風呂装置について、以下その動作・作用を説明する。
【００２１】
給水路２３から給湯機１０へ流入した水は、バーナファン１３により送られた空気とガスをバーナ１２で混合し燃焼させ、燃焼熱を熱交換器１１で水に与えることでお湯を造り給湯路２３を通り、浴室２０等のカラン２５やシャワー２４やミストノズル２６から吐出する。とくにミストノズル２６から吐出するミストは、細かな霧状の水滴となり浴室２０に充満することで、ミストサウナを家庭でも楽しむことができる。
【００２２】
一方、酸素富化機１５は、真空ポンプ１７により負圧となった空気が酸素富化膜１６を拡散離脱することで、酸素濃度約３０％の空気を造り出すことができ、この酸素空気はチューブ１９を通り、浴室２０の天井部の酸素ノズル２１から浴室２０内へ噴出される。
【００２３】
通常、上記ミストサウナを浴びるときはその温浴効果を発揮するために浴室内を閉め切り、換気扇を停止した状態で入浴するため、人による呼吸で酸素濃度が徐々に低下する。また、高温多湿となるため、ドライサウナほどではないが長時間入浴していると若干息苦しさを覚える場合もあった。この様な時に、酸素富化機１５を運転することで、浴室内に高濃度の酸素が拡散し酸素濃度約２１％を保持でき、快適でリラックスできるミストサウナを長時間楽しむことができる。
【００２４】
なお、本実施の形態では浴室２０の天井部から高濃度酸素を噴出する場合について述べたが、浴室壁部や浴槽２７の湯水中から噴出させたとしても同様の効果を発揮できるものである。
【００２５】
また、浴室２０内へ高濃度酸素を噴出する例について説明したが、シャワールーム等にミストと高濃度酸素を噴出したとしても同様の効果を発揮できるものである。
【００２６】
（実施の形態２）
図２は本発明の実施の形態２における酸素ミスト風呂装置のミストノズルと酸素ノズルの構成図である。
【００２７】
この図においては、実施の形態１と異なる点は、高濃度の酸素空気を噴出する酸素ノズル２１とミストノズル２６を一体で形成した一体ノズル２８を設けたことである。即ち、一体ノズル２８一つで高濃度酸素とミストを浴室２０内へ噴出することができるため、噴出ノズルを一つにすることができ、浴室への加工工数削減と、取り付け部材点数削減が可能である。また、発揮する効果は実施の形態１と同様である。
【００２８】
（実施の形態３）
図３は本発明の実施の形態３における酸素ミスト風呂装置のシステム全体構成図である。
【００２９】
この図において、実施の形態１と異なる点は、酸素ノズルの代わりに、高濃度酸素を送るチューブ２９をヘッドセット３０まで設けているものである。即ち、入浴者３１は高濃度の酸素を口元近傍で吸引することが可能で、酸素吸引によるリラックス、リフレッシュ効果を更に高めると共に、ミストサウナによる温浴効果を十分に楽しむことができるものである。
【００３０】
（実施の形態４）
図４は本発明の実施の形態４における酸素ミスト風呂装置のシステム全体構成図である。
【００３１】
この図において、実施の形態１と異なる点は酸素富化機１５を浴室２０の天井上部３２へ載置した点である。
【００３２】
天井上部３２へ酸素富化機１５を設けることで、従来から有る給湯機１０をそのまま利用し、高濃度の酸素を浴室２０の天井上部３２の酸素ノズル２１から噴出させることができるため、その効果も実施の形態１と同様である。
【００３３】
（実施の形態５）
図５は本発明の実施の形態５における酸素ミスト風呂装置のシステム全体構成図である。
【００３４】
この図において、実施の形態１と異なる点は酸素富化機１５で生成された高濃度酸素を加圧ポンプ３３で高圧としエゼクタ３４から給湯路２３へ加圧混入させ溶解された状態でミストノズル２６から浴室２０内へミスト共に噴出する点である。
【００３５】
なお、このとき加圧ポンプ３３は供給水圧より高い圧力である２００〜５００ｋＰａ程度まで加圧でき、水道直圧が加わっても破損することのない耐圧ポンプを採用するものである。
【００３６】
高濃度酸素を加圧混入した湯水をミスト化して浴室２０内へ噴出することで、高濃度酸素空気を浴室まで搬送する特別な配管を設ける必要がなく、施工が簡素化できるものである。
【００３７】
また、給湯湯水へ高濃度酸素を加圧混入しているため、シャワーヘッド２４やカラン２５からも噴出可能で、入浴者は高濃度酸素微細気泡入りのお湯を、例えばシャワー水として使うことができ、気泡の弾けるときに放出される超音波の効果で洗浄効果や温熱効果を得ることができる。さらに微細気泡が故に毛穴の洗浄など皮膚の細部にまで効果を及ぼすものである。
【００３８】
当然、洗剤使用による洗浄後の洗い流しにおいても同様で、洗剤との相乗効果でより洗浄効果が期待でき、さらにはすすぎ効果も促進されるものである。
【００３９】
さらに、カランからお湯を使用する時も、上記同様高濃度酸素の微細気泡混入湯水を洗面器等に受け、この湯を使用して洗顔することで洗浄効果を発揮することができるものである。
【００４０】
ここでは、給湯機へ内蔵した例を示したが、例えば浴室天井上部３２に設け、給湯湯水へ加圧混入しても同様の効果を示す。
【産業上の利用可能性】
【００４１】
以上のように、本発明にかかる酸素ミスト風呂装置は浴室内へミストと高濃度酸素を供給することができるため、業務用の銭湯や、健康福祉機器等の用途にも適用できる。
【図面の簡単な説明】
【００４２】
【図１】本発明の実施の形態１における酸素ミスト風呂装置のシステム全体構成図
【図２】本発明の実施の形態２におけるノズル構成図
【図３】本発明の実施の形態３における酸素ミスト風呂装置のシステム全体構成図
【図４】本発明の実施の形態４における酸素ミスト風呂装置のシステム全体構成図
【図５】本発明の実施の形態５における酸素ミスト風呂装置のシステム全体構成図
【図６】従来のミスト風呂装置の全体構成図
【符号の説明】
【００４３】
１０  給湯機
１５  酸素富化機
２０  浴室
２１  酸素ノズル
２６  ミストノズル
２８  一体ノズル
２９  チューブ
３０  ヘッドセット
３２  天井上部
３３  加圧ポンプ
【図１】
2006130197.tif 000003
【図２】
2006130197.tif 000004
【図３】
2006130197.tif 000005
【図４】
2006130197.tif 000006
【図５】
2006130197.tif 000007
【図６】
2006130197.tif 000008